【手続補正書】
【提出日】平成28年4月22日(2016.4.22)
【手続補正１】
【補正対象書類名】特許請求の範囲
【補正対象項目名】全文
【補正方法】変更
【補正の内容】
【特許請求の範囲】
【請求項１】
高温のガラス材料をガラス容器に成形する金型に冷却用空気を送るための改良型システムにおいて、
冷却用空気の第１の供給源に連結するように構成された第１の多岐管であって、第１の複数の穴が前記第１の多岐管の上面にある分配板に配置されていて、前記第１の多岐管および前記分配板の上面の間に延びている第１の多岐管と、
底板アセンブリと、
互いから間隔をあけて離れている開いた位置と、前記底板アセンブリの一部および互いに係合して金型を形成する閉じた位置との間で可動である一対の金型半体と、
前記一対の金型半体をそれぞれ支持し、前記金型半体を前記開いた位置および前記閉じた位置の間で選択的に動かすための一対の金型半体支持アセンブリと、
前記一対の金型半体の中に配置され、前記金型半体が前記閉じた位置にあるときに、底の端部において、前記分配板に配置された前記複数の穴と流体が行き来する状態にあり、冷却用空気が前記第１の多岐管から入ることができる第１の複数の縦方向の冷却通路と、
前記一対の金型半体に配置された前記第１の複数の縦方向の冷却通路とは別個に前記一対の金型半体の中に配置された第２の複数の縦方向の冷却通路であって、前記第２の複数の縦方向の冷却通路の各々が、入口と単一の出口とを有しており、前記第２の複数の縦方向の冷却通路の各々の前記出口は、前記第２の複数の縦方向の冷却通路の各々の前記入口より前記第１の複数の縦方向の冷却通路の前記底の端部に近い、第２の複数の縦方向の冷却通路と、
前記一対の金型半体支持アセンブリの各々と関連しており、冷却用空気の第２の供給源に連結するように構成された追加の多岐管であって、前記一対の金型半体にある前記第２の複数の縦方向の冷却通路が、それぞれの前記入口において、前記追加の多岐管の各々の中に配置された少なくとも１つの開口部と流体が行き来する状態にあり、前記金型半体の位置に関係なく、冷却用空気が前記追加の多岐管から連続的に入ることができる追加の多岐管と、
を備える改良型システム。
【請求項２】
前記第１の複数の縦方向の冷却通路に供給された冷却用空気は、前記第２の複数の縦方向の冷却通路に供給された冷却用空気の全てとは反対の方向に流れる、請求項１に記載の改良型システム。
【請求項３】
前記底板アセンブリは、前記底板アセンブリを通って延びる複数の穴を有し、前記底板アセンブリを通って延びる前記複数の穴は、前記分配板に配置された前記複数の穴、および、前記一対の金型半体に配置された前記第１の複数の縦方向の冷却通路の中間に配置されるように配列かつ構成されている、請求項１に記載の改良型システム。
【請求項４】
前記一対の金型半体に配置された前記第１の複数の縦方向の冷却通路は、前記金型半体が前記閉じた位置にあるときに、第１の直径によって特徴づけられる環状の列を形成し、
前記一対の金型半体に配置された前記第２の複数の縦方向の冷却通路は、前記金型半体が前記閉じた位置にあるときに、前記第１の直径よりも大きな第２の直径によって特徴づけられる環状の列を形成する、請求項１に記載の改良型システム。
【請求項５】
前記第１の複数の縦方向の冷却通路は、前記金型半体の各々を、前記金型半体の各々の底部から前記金型半体の各々の最上部まで貫通する、請求項１に記載の改良型システム。
【請求項６】
前記第２の複数の縦方向の冷却通路の前記出口は、前記金型半体の各々の側部に、前記金型半体の各々の底部より上において配置されている、請求項１に記載の改良型システム。
【請求項７】
前記一対の金型半体支持アセンブリの各々に関連した前記追加の多岐管の少なくとも一部は、前記追加の多岐管が関連している前記金型半体支持アセンブリと一体に製造される、請求項１に記載の改良型システム。
【請求項８】
前記第１および第２の冷却用空気の供給源は、相互に独立に操作しやすいように独立に構成されている、請求項１に記載の改良型システム。
【請求項９】
前記金型半体の各々は、
ガラス容器の外側輪郭の一部を画定する内部成形面と、
前記金型半体の最上部よりも下に配置された外側に向かって延びる棚部と、
前記金型半体の底部よりも上において、前記金型半体の外面に配置された、内側に向かって延びる溝部と、を備え、
前記第２の複数の縦方向の冷却通路の各々は、入口を前記外側に向かって延びる棚部に有し、出口を前記内側に向かって延びる溝部に有する、
請求項１に記載の改良型システム。
【請求項１０】
前記内側に向かって延びる溝部は、上面に平坦面を有し、底面に傾斜した面を有し、前記金型半体の外面に向かって幅が広がる、請求項９に記載の改良型システム。
【請求項１１】
前記底板アセンブリは、
土台部分の上に中間部分によって連結された大径部分を備え、
前記金型半部の各々は、
前記金型半体の底部のすぐ上に配置され、前記金型半体が閉じられたときに、前記底板アセンブリの大径部分が入る、前記金型半体内の半環状凹部を備え、
前記底板アセンブリがさらに、
前記底板アセンブリの土台部分を通って延び、前記底板アセンブリの前記大径部分の外径よりも大きな直径で円形形状に配置された複数の穴をさらに備える、
請求項１に記載の改良型システム。
【請求項１２】
８個から３０個の縦方向の冷却通路が各金型半体の前記第１の列にあり、５個から２０個の縦方向の冷却通路が各金型半体の前記第２の列にある、請求項１に記載の改良型システム。
【請求項１３】
高温のガラス材料をガラス容器に成形する金型に冷却用空気を送るための改良型システムにおいて、
冷却用空気の第１の供給源に連結するように構成された第１の多岐管であって、第１の複数の穴が前記第１の多岐管の上面にある分配板に配置されていて、前記第１の多岐管および前記分配板の上面の間に延びている第１の多岐管と、
複数の穴が中を通っている底板アセンブリと、
互いから間隔をあけて離れている開いた位置と、前記底板アセンブリの一部および互いに係合して金型を形成する閉じた位置との間で可動である一対の金型半体と、
前記一対の金型半体をそれぞれ支持し、前記金型半体を前記開いた位置と、前記閉じた位置との間で選択的に動かすための一対の金型半体支持アセンブリと、
前記一対の金型半体の中に配置されて、中を通って延び、前記金型半体が閉じた位置にあるときに、第１の直径によって特徴づけられる環状の列を形成する第１の複数の縦方向の冷却通路であって、前記金型半体が前記閉じた位置にあるときに、前記第１の複数の縦方向の冷却通路の底の端部において、前記底板アセンブリの前記複数の穴および前記分配板に配置された前記複数の穴と流体が行き来する状態にあり、冷却用空気が前記第１の多岐管から入り、前記冷却用空気が第１の方向で流れ込む第１の複数の縦方向の冷却通路と、
前記一対の金型半体の中に配置され、前記金型半体が閉じた位置にあるときに、前記第１の直径よりも大きな第２の直径により特徴づけられる環状の列を形成し、前記一対の金型半体に配置された前記第１の複数の縦方向の冷却通路とは別個である第２の複数の縦方向の冷却通路であって、該第２の複数の縦方向の冷却通路の各々が、入口と単一の出口とを有しており、前記第２の複数の縦方向の冷却通路の各々の前記出口は、前記第２の複数の縦方向の冷却通路より前記第１の複数の縦方向の冷却通路の前記底の端部に近い、第２の複数の縦方向の冷却通路と、
前記一対の金型半体支持アセンブリの各々と関連しており、冷却用空気の第２の供給源に連結するように構成された追加の多岐管であって、前記一対の金型半体にある前記第２の複数の縦方向の冷却通路が、それぞれの前記入口において、前記追加の多岐管の各々の中に配置された少なくとも１つの開口部と流体が行き来する状態にあり、前記金型半体の位置に関係なく、冷却用空気が前記追加の多岐管から連続的に入り、前記冷却用空気の全てが、前記第２の複数の縦方向の冷却通路を前記第１の方向と反対の第２の方向に流れる、追加の多岐管と、
を備える改良型システム。
【請求項１４】
高温のガラス材料をガラス容器に成形する金型に冷却用空気を送るための改良型システムにおいて、
底板アセンブリにおいて上面に分配板を有する第１の多岐管であって、前記第１の多岐管および前記第１の多岐管の上面に配置された前記分配板の上面の間に延びる第１の複数の穴から冷却用空気を供給する、第１の多岐管と、
底板アセンブリと、
間隔をあけて離れている開いた位置と、前記金型半体および前記底板アセンブリが金型を形成する閉じた位置との間で可動である一対の金型半体と、
前記一対の金型半体をそれぞれ支持し、前記金型半体を前記開いた位置と、前記閉じた位置との間で選択的に動かすための一対の金型半体支持アセンブリと、
前記一対の金型半体の中に配置され、前記金型半体が前記閉じた位置にあるときに、底の端部において、前記底板アセンブリにある前記複数の穴と流体が行き来する状態にあり、冷却用空気が前記第１の多岐管から入ることができる第１の複数の縦方向の冷却通路と、
前記一対の金型半体の中に配置されている第２の複数の縦方向の冷却通路であって、前記第２の複数の縦方向の冷却通路の各々が入口と単一の出口とを有し、前記第２の複数の縦方向の冷却通路の各々の前記出口は、前記第２の複数の縦方向の冷却通路のその小野の前記入口より前記第１の複数の縦方向の冷却通路の前記底の端部に近い、第２の複数の縦方向の冷却通路と、
前記一対の金型半体支持アセンブリの各々と関連している追加の多岐管であって、前記追加の多岐管の各々にある少なくとも１つの開口部から、前記一対の金型半体にある第２の複数の縦方向の冷却通路の前記入口に、前記金型半体の位置に関係なく、冷却用空気を連続的に供給できるようにする、追加の多岐管と、
を備える改良型システム。
【請求項１５】
前記第１の複数の縦方向の冷却通路に供給された冷却用空気は、前記第２の複数の縦方向の冷却通路に供給された冷却用空気とは反対の方向に流れる、請求項１４に記載の改良型システム。
【請求項１６】
前記第１および第２の冷却用空気の供給源は、相互に独立に操作しやすいように独立に構成されている、請求項１４に記載の改良型システム。
【請求項１７】
高温のガラス材料をガラス容器に成形するための組み合わせた金型半体に冷却用空気を送る方法において、
一対の金型半体を一対の金型半体支持アセンブリでそれぞれ支持するステップであって、前記一対の金型半体支持アセンブリが、前記金型半体が互いから間隔をあけて離されている開いた位置と、前記金型半体が底板アセンブリの一部および互いに係合して金型を形成する閉じた位置との間で前記金型半体を選択的に動かすステップと、
前記金型の各々に第１の複数の縦方向の冷却通路を設けるステップと、
前記一対の金型に配置された前記第１の複数の縦方向の冷却通路と別個に、前記金型半体の各々に第２の複数の縦方向の冷却通路を設けるステップと、
上面に分配板を有する第１の多岐管から、前記分配板に配置された第１の複数の穴を通して、前記一対の金型半体にある前記第１の複数の縦方向の冷却通路へ、前記一対の金型半体の底の端部において、前記金型半体が前記閉じた位置にあるときに、冷却用空気を送るステップと、
前記一対の金型半体支持アセンブリの各々と関連した追加の多岐管から、前記追加の多岐管の各々に配置された少なくとも１つの開口部を通して、前記一対の金型半体にある前記第２の複数の縦方向の冷却通路へ、前記第２の複数の縦方向の冷却通路のそれぞれの入口において、前記金型半体の位置に関係なく、冷却用空気を連続的に供給し、前記冷却用空気が単一の出口を通って前記第２の複数の縦方向の冷却通路の各々を出るステップであって、前記第２の複数の縦方向の冷却通路の各々の前記出口は、前記第２の複数の縦方向の冷却通路の各々の前記入口より前記第１の複数の縦方向の冷却通路の前記底の端部に近い、ステップと、
を含む方法。
【請求項１８】
冷却用空気を前記第１の複数の縦方向の冷却通路に第１の方向で供給して前記第１の複数の縦方向の冷却通路内の前記冷却用空気の全てが前記第１の方向へ流れるようにするステップと、
冷却用空気を前記第２の複数の縦方向の冷却通路に前記第１の方向と反対の第２の方向で供給して前記第２の複数の縦方向の冷却通路内の冷却用空気の全てが前記第２の方向に流れるようにするステップと、
をさらに含む請求項１７に記載の方法。
【請求項１９】
冷却用空気を前記第１の多岐管に第１の供給源から供給するステップと、
冷却用空気を前記第２の多岐管に前記第１の供給源と異なる第２の供給源から供給するステップと、
をさらに含む請求項１７に記載の方法。
【請求項２０】
前記第１および第２の多岐管に供給される前記冷却用空気流の時間調節および制御を別個に行うステップ、
をさらに含む請求項１７に記載の方法。